(57)【要約】【課題】レンズホルダを小型、軽量化、さらには、レンズホルダの上面部中心に対物レンズを配置した場合でも、レンズホルダ上での駆動コイルのレイアウトの自由度を高めることのできる光ヘッド装置を提供すること。【解決手段】ワイヤサスペンション方式の光ヘッド装置において、レンズホルダ３の左右の側面部３８、３９から外側に向けて、各ワイヤから各駆動コイル１１、１２、１３へ給電を行うために中継基板９が取り付けられている。中継基板９には、トラッキング駆動コイル１２として機能する薄型平面コイルが薄膜パターンにより形成されている。このため、レンズホルダ３では、フォーカシング駆動コイル１１およびチルト駆動コイル１３を最適な位置に配置することができるなど、レイアウトの自由度が高い。【選択図】図３
2007109318.tif 000002
【特許請求の範囲】
【請求項１】
対物レンズを保持したレンズホルダと、該レンズホルダにおいてトラッキング方向で相対向する両側面部に保持された一対の中継基板と、該一対の中継基板に接続されて前記レンズホルダを変位可能に支持する複数本のワイヤと、前記レンズホルダを少なくともフォーカシング方向およびトラッキング方向に駆動する磁気駆動回路とを有する光ヘッド装置において、
前記一対の中継基板は各々、前記レンズホルダの前後方向に基板面を向けて当該レンズホルダからトラッキング方向外側に張り出しており、
前記磁気駆動回路では、前記レンズホルダに第１の駆動コイルが配置されている一方、当該第１の駆動コイルに対向する位置に第１の駆動マグネットが配置され、前記一対の中継基板の各々には当該中継基板上の薄膜パターンにより形成された薄型平面コイルによって第２の駆動コイルが構成されている一方、前記一対の中継基板の各々の前方および後方の計４箇所に第２の駆動マグネットが配置されていることを特徴とする光ヘッド装置。
【請求項２】
請求項１において、前記中継基板の外周縁には、前記第１の駆動コイルからの引き出し線が接続された突起状端子が形成されていることを特徴とする光ヘッド装置。
【請求項３】
請求項１または２において、前記対物レンズは前記レンズホルダの上面部中央に保持されていることを特徴とする光ヘッド装置。
【請求項４】
請求項３において、前記中継基板は、前記レンズホルダの両側面部においてトラッキング方向と直交する方向における略中心位置に保持されていることを特徴とする光ヘッド装置。
【請求項５】
請求項３または４において、前記対物レンズの下方位置には立ち上げミラーが配置され、
前記レンズホルダにおいてトラッキング方向と直交する方向で相対向する前面部および後面部のうち、前面部には前記立ち上げミラーへの光路を確保する開口が形成され、
前記磁気駆動回路では、前記前面部において前記開口を挟む両側部分および前記後面部の両側部分の計４箇所に前記第１の駆動コイルが配置されている一方、前記前面部の両側部分の外面側、および前記後面部の両側部分の外面側に対向する計４箇所に前記第１の駆動マグネットが配置されていることを特徴とする光ヘッド装置。
【請求項６】
請求項５において、前記第１の駆動コイルはフォーカシング駆動コイルであり、前記第２の駆動コイルはトラッキング駆動コイルであり、
前記前面部および前記後面部のうちの少なくとも一方の両側部分では前記フォーカシング駆動コイルに対してチルト駆動コイルが重ねて配置され、
前記４つの第１の駆動マグネットは各々、フォーカシング方向に２分極着磁され、
前記４つの第２の駆動マグネットでは、前記中継基板を間に挟んだ２つの第２の駆動マグネットが互いに異なる極を当該中継基板に向けて配置されていることを特徴とする光ヘッド装置。
【請求項７】
請求項６において、前記フォーカシング駆動コイルおよび前記フォーカシング駆動コイルはいずれも巻き線コイルであり、中心をトラッキング方向にずらして重ねて配置されていることを特徴とする光ヘッド装置。
【請求項８】
請求項６において、前記チルト駆動コイルは、前記後面部の両側部分で前記フォーカシング駆動コイルに重ねて配置され、
前記後面部の少なくとも一部は、両側部分に前記チルト駆動コイルが薄膜パターンにより薄型平面コイルとして形成された剛性基板によって構成され、
当該剛性基板の外面側には前記チルト駆動コイルの上に前記フォーカシング駆動コイルが接着固定されていることを特徴とする光ヘッド装置。
【請求項９】
請求項１ないし８のいずれかにおいて、前記レンズホルダの下方位置に、トラッキング方向と直交する方向に第１のヨークと第２のヨークとが配置されたヨークを有し、
前記第１のヨークおよび前記第２のヨークは各々が、前記レンズホルダの下面に対向する底面部と、該底板部から起立して前記第１の駆動マグネットを保持する第１の駆動マグネット保持部と、前記底板部から起立して前記第２の駆動マグネットを保持する第２の駆動マグネット保持部とを備えていることを特徴とする光ヘッド装置。
【発明の詳細な説明】
【技術分野】
【０００１】
本発明は、ＣＤやＤＶＤなどの光記録ディスクの記録、再生等に用いられる光ヘッド装置に関するものである。
【背景技術】
【０００２】
ＣＤやＤＶＤなどの光記録ディスクの記録、再生等に用いられている光ヘッド装置としては、対物レンズを保持したレンズホルダと、このレンズホルダを変位可能に支持する複数本のワイヤと、レンズホルダを少なくともフォーカシング方向およびトラッキング方向に駆動する磁気駆動回路とを有するワイヤサスペンションタイプの対物レンズ駆動装置を備えたものが知られており、このような対物レンズ駆動装置では、磁気駆動回路を構成する複数の駆動コイルの各々に対してワイヤを介して給電する。
【０００３】
かかる対物レンズ駆動装置においては、レンズホルダの小型、軽量化などに伴って駆動コイルを配置する位置などに対する制約が大きくなりつつある。特に、図７（ａ）に示すように、レンズホルダ３′の上面部中央部に対物レンズ２′を保持したレンズセンタータイプの対物レンズ駆動装置において、その薄型化を図るためにレンズホルダ３′の内側に立ち上げミラーを配置すると、レンズホルダ３′の前面部に立ち上げミラーへの光路を確保する開口を形成することになるため、レンズホルダ３′の側では開口を避けるように駆動コイルを配置しなればならない（例えば、特許文献１参照）。
【特許文献１】特開２００５−６３６１８号
【発明の開示】
【発明が解決しようとする課題】
【０００４】
そこで、特許文献１に記載の光ヘッド装置では、フォーカシング駆動コイル１１′については、開口を避けるようにレンズホルダ３′の周りに巻回するとともに、その下方位置において開口を挟む両側位置にチルト用駆動コイル１３′を配置している。また、開口を挟む両側位置でフォーカシング駆動コイル１１′およびチルト駆動コイル１３′に重なるようにトラッキング駆動コイル１２′を配置している。
【０００５】
しかしながら、このような構成では、フォーカシング駆動コイル１１′において十分な巻回数を確保できず、しかも、推力の発生に寄与しない無効辺部分が占める部分が大きいため、駆動感度を高めることができないという問題点がある。また、チルト駆動コイル１３′でも十分な巻回数を確保できないため、チルト駆動時の感度を高める必要がある場合には、例えば、図７（ｂ）に示す駆動マグネット２０′のように、駆動コイル１１′、１２′、１３′の位置に合わせて、トラッキング方向に分極着磁を行うとともに、厚さ方向でも分極着磁を行う必要がある。その結果、駆動マグネット２０′に対する着磁に多大な手間がかかるとともに、駆動マグネット２０′を配置する際、駆動コイル１１′、１２′、１３′に対して高い位置精度を必要とするという問題点がある。
【０００６】
以上の問題点に鑑みて、本発明の課題は、レンズホルダを小型、軽量化した場合でもレンズホルダ上での駆動コイルのレイアウトの自由度を高めることのできる光ヘッド装置を提供することにある。
【０００７】
また、本発明の課題は、レンズホルダの上面部中心に対物レンズを配置した場合でも、レンズホルダ上での駆動コイルのレイアウトの自由度を高めることのできる光ヘッド装置を提供することにある。
【課題を解決するための手段】
【０００８】
上記課題を解決するために、本発明では、対物レンズを保持したレンズホルダと、該レンズホルダにおいてトラッキング方向で相対向する両側面部に保持された一対の中継基板と、該一対の中継基板に接続されて前記レンズホルダを変位可能に支持する複数本のワイヤと、前記レンズホルダを少なくともフォーカシング方向およびトラッキング方向に駆動する磁気駆動回路とを有する光ヘッド装置において、前記一対の中継基板は各々、前記レンズホルダの前後方向に基板面を向けて当該レンズホルダからトラッキング方向外側に張り出しており、前記磁気駆動回路では、前記レンズホルダに第１の駆動コイルが配置されている一方、当該第１の駆動コイルに対向する位置に第１の駆動マグネットが配置され、前記一対の中継基板の各々には当該中継基板上の薄膜パターンにより形成された薄型平面コイルによって第２の駆動コイルが構成されている一方、前記一対の中継基板の各々の前方および後方の計４箇所に第２の駆動マグネットが配置されていることを特徴とする。
【０００９】
本発明では、複数本のワイヤが各々接続される中継基板をレンズホルダから外側に突出させるとともに、この中継基板上において薄膜パターンにより形成された薄型平面コイルを第２の駆動コイルとして用いる。このため、レンズホルダ上には第２の駆動コイルを配置する必要がない。従って、レンズホルダを小型、軽量化した場合でもレンズホルダに配置される第１の駆動コイルについてはレイアウトの自由度が高いので、レンズホルダ上の最適位置に第１の駆動コイルを配置することができる。また、第２の駆動コイルを巻き線コイルで構成した場合と違って、部品点数を減らすことができるとともに、ワイヤと第２の駆動コイルとの電気的な接続を中継基板上で行えるので、組み立て工程を効率よく行うことができる。
【００１０】
本発明において、前記中継基板の外周縁には、前記第１の駆動コイルからの引き出し線が接続された突起状端子が形成されていることが好ましい。このように構成すると、中継基板上に第１の駆動コイルからの引き出し線を容易に絡げることができ、引き出し線の中継基板への接続を効率よく行うことができる。
【００１１】
本発明において、前記対物レンズは前記レンズホルダの上面部中央に保持されていることが好ましい。レンズホルダの上面部中央部に対物レンズを保持したレンズセンタータイプの光ヘッド装置では、レンズホルダの上面部中央からずれた位置に対物レンズを保持したレンズオフセットタイプの光ヘッド装置に比較して、ピッチング、ローリングなどといった不要共振に強いという利点がある。
【００１２】
本発明において、前記中継基板は、前記レンズホルダの両側面部においてトラッキング方向と直交する方向における略中心位置に保持されていることが好ましい。このように構成すると、第２の駆動コイルと第２の駆動マグネットとによって発生する推力の中心と、レンズホルダの重心位置を一致させることができ、不要共振の発生などを防止することができる。
【００１３】
本発明において、前記対物レンズの下方位置には立ち上げミラーが配置され、前記レンズホルダにおいてトラッキング方向と直交する方向で相対向する前面部および後面部のうち、前面部には前記立ち上げミラーへの光路を確保する開口が形成されていることが好ましい。この場合、前記磁気駆動回路では、前記前面部において前記開口を挟む両側部分および前記後面部の両側部分の計４箇所に前記第１の駆動コイルが配置されている一方、前記前面部の両側部分の外面側、および前記後面部の両側部分の外面側に対向する計４箇所に前記第１の駆動マグネットが配置されていることが好ましい。このように構成すると、レンズホルダの内側に少なくとも一部が位置するように立ち上げミラーを配置できるので、光ヘッド装置の薄型化を図ることができる。また、レンズホルダの前面部に対して第１の駆動コイルを配置する際、前面部において開口を挟む両側部分、および後面部の両側部分の計４箇所の各々に第１の駆動コイルを配置したので、第１の駆動コイル全体に対向するように駆動マグネットを配置することができる。このため、第１の駆動コイルにおいて推力の発生に寄与する有効辺部分が占める部分が大きく、駆動感度が高い。さらに、第１の駆動コイルと第２の駆動コイルとを重ねて配置する必要がない。すなわち、フォーカシング駆動コイルとトラッキング駆動コイルとを重ねて配置する必要がない。従って、フォーカシング駆動マグネットおよびトラッキング駆動マグネットとして別々のものを用いることができるので、各駆動マグネットに対して、フォーカシング駆動、トラッキング駆動に適したパターンで分極着磁する場合でも２分極着磁で済む。
【００１４】
本発明において、前記第１の駆動コイルはフォーカシング駆動コイルであり、前記第２の駆動コイルはトラッキング駆動コイルであり、前記前面部および前記後面部のうちの少なくとも一方の両側部分では前記フォーカシング駆動コイルに対してチルト駆動コイルが重ねて配置され、前記４つの第１の駆動マグネットは各々、フォーカシング方向に２分極着磁され、前記４つの第２の駆動マグネットでは、前記中継基板を間に挟んだ２つの第２の駆動マグネットが互いに異なる極を当該中継基板に向けて配置されている構成を採用することができる。フォーカシング駆動コイルとチルト駆動コイルとを重ねて配置した場合には、フォーカシング方向に２分極着磁ものを第１の駆動用マグネットとして用いることができる。
【００１５】
本発明において、前記フォーカシング駆動コイルおよび前記フォーカシング駆動コイルはいずれも巻き線コイルである場合、中心をトラッキング方向にずらして重ねて配置されていることが好ましい。このように構成すると、駆動コイルをずらしたことにより生じた隙間を利用して上層側に重ねた方の駆動コイルの巻き始め側の引き出し線を中継基板まで導くことができる。それ故、上層側に重ねた方の駆動コイルに浮きや傾きなどが発生しないので、この部分に配置された駆動マグネットと第１の駆動マグネットとを近接配置でき、駆動感度を高めることができる。
【００１６】
本発明において、前記チルト駆動コイルは、前記後面部の両側部分で前記フォーカシング駆動コイルに重ねて配置されている場合、前記後面部の少なくとも一部は、両側部分に前記チルト駆動コイルが薄膜パターンにより薄型平面コイルとして形成された剛性基板によって構成され、当該剛性基板の外面側には前記チルト駆動コイルの上に前記フォーカシング駆動コイルが接着固定されている構成を採用することができる。このように構成すると、レンズホルダの後面部自身にチルト駆動コイルが組み込まれているので、チルト駆動コイルにフォーカシング駆動コイルを重ねて配置してもレンズホルダが大型化しない。
【００１７】
本発明において、前記レンズホルダの下方位置に、トラッキング方向と直交する方向に第１のヨークと第２のヨークとが配置されたヨークを有し、前記第１のヨークおよび前記第２のヨークは各々が、前記レンズホルダの下面に対向する底面部と、該底板部から起立して前記第１の駆動マグネットを保持する第１の駆動マグネット保持部と、前記底板部から起立して前記第２の駆動マグネットを保持する第２の駆動マグネット保持部とを備えていることが好ましい。このように構成すると、第２の駆動マグネットと、中継基板に構成された第２の駆動コイルとの間隔（磁気ギャップ）の微調整を容易に行うことができる。さらに、第１のヨークと第２のヨークとで、別々に駆動マグネットの取り付けを行うことができるので、取り付け作業の際、磁気吸着あるいは磁気反発により駆動マグネットの取り付け位置がずれてしまうことを防止できる。それ故、高い精度で駆動マグネットを配置できる。
【発明の効果】
【００１８】
本発明では、複数本のワイヤが各々接続される中継基板をレンズホルダから外側に突出させるとともに、この中継基板上において薄膜パターンにより形成された薄型平面コイルを第２の駆動コイルとして用いる。このため、レンズホルダ上には第２の駆動コイルを配置する必要がない。従って、レンズホルダを小型、軽量化した場合でもレンズホルダに配置される第１の駆動コイルについてはレイアウトの自由度が高いので、レンズホルダ上の最適位置に第１の駆動コイルを配置することができる。また、第２の駆動コイルを巻き線コイルで構成した場合と違って、部品点数を減らすことができるとともに、ワイヤと第２の駆動コイルとの電気的な接続を中継基板上で行えるので、組み立て工程を効率よく行うことができる。
【発明を実施するための最良の形態】
【００１９】
以下に、図面を参照して、本発明を適用した光ヘッド装置の一例を説明する。
【００２０】
（全体構成）
図１は、本発明を適用した光ヘッド装置を示す斜視図である。この図に示すように、本形態の光ヘッド装置１００は、光学モジュール２００と、この光学モジュール２００から出射されたレーザ光Ｌを光記録ディスク（図示せず）に収束させる対物レンズ２を保持したレンズホルダ３と、このレンズホルダ３を駆動するための対物レンズ駆動装置３００と、光学モジュール２００および対物レンズ駆動装置３００などが搭載された装置フレーム４００とを有している。装置フレーム４００には、その両端にガイド軸４１、４２が係合する軸受部４０１、４０２が形成されている。これらのガイド軸４１、４２のうち、ガイド軸４１（主ガイド軸）には雄ネジが形成されている一方、軸受部４０１には雌ネジが形成されている。従って、ガイド軸４１の回転によって、装置フレーム４００（光ヘッド装置１００）を光記録ディスク（図示せず）の半径方向に走査させることができる。光学モジュール２００は、周知の構成のものを採用できるので、その詳細な説明は省略するが、光源ユニットと、この光源ユニットから出射されたレーザ光Ｌが光記録ディスクで反射してきた戻り光を受光する受光素子とを備えているとともに、光源ユニットから対物レンズ２に向かう往路、および対物レンズ２から受光素子に向かう復路上には複数の光学素子が配置されている。
【００２１】
（対物レンズ駆動装置３００の構成）
図２は、図１に示す光ヘッド装置１００に用いた対物レンズ駆動装置３００の構成を示す斜視図である。図３（ａ）および（ｂ）は、図２に示す対物レンズ駆動装置３００に用いたレンズホルダを後方斜め上方からみたときの斜視図、それを斜め下方からみたときの斜視図である。
【００２２】
図２および図３（ａ）に示すように、本形態の対物レンズ駆動装置３００は、レンズセンタータイプのものであり、レンズホルダの上面部中央からずれた位置に対物レンズを保持したレンズオフセットタイプの光ヘッド装置に比較して、ピッチング、ローリングなどといった不要共振に強いという利点がある。本形態の対物レンズ駆動装置３００は、対物レンズ２を上面部中央のレンズ保持部３０で保持しているレンズホルダ３と、レンズホルダ３をフォーカシング方向（矢印Ｆｏで示す方向）、トラッキング方向（矢印Ｔｒで示す方向）、及びチルト方向（矢印Ｔｉで示す方向）に移動可能に支持する６本のワイヤ４と、これらのワイヤ４を介してレンズホルダ３を支持するホルダ支持部材５（固定側部材）と、レンズホルダ３をフォーカシング方向Ｆｏ、トラッキング方向Ｔｒおよびチルト方向Ｔｉに駆動するための磁気駆動機構８とを有している。
【００２３】
レンズホルダ３の内側には、図５を参照して後述する立ち上げミラー２５が配置されている。このため、レンズホルダ３には、図２および図３（ｂ）に示すように、立ち上げミラー２５への光路を確保するために、レンズホルダ３をワイヤ４の先端側からみたとき逆凹の字形状となっている。すなわち、レンズホルダ３において、トラッキング方向Ｔｒで相対向する前面部３６および後面部３７のうち、前面部３６には立ち上げミラー２５への光路を確保する開口３１が形成されている。
【００２４】
レンズホルダ３の両側に配置された６本のワイヤ４は各々、詳しくは後述するフォーカシング駆動コイル１１、トラッキング駆動コイル１２、およびチルト駆動コイル１３への給電ワイヤとして用いられている。このため、ワイヤ４の基端側は、ホルダ支持部材５の背面に取り付けたプリント基板５１の配線パターンにハンダ等により各々接続されている。また、レンズホルダ３のトラッキング方向Ｔｒの両側には、詳しくは後述する中継基板９が固着されており、ワイヤ４の先端側は中継基板９に接続されている。
【００２５】
（レンズホルダ３、ヨーク４および磁気駆動機構８の構成）
図４は、図２に示す対物レンズ駆動装置３００に用いた中継基板９の平面図である。図５は、図２に示す対物レンズ駆動装置３００に用いたヨークを前方斜め上方からみたときの斜視図である。
【００２６】
図２および図３（ａ）、（ｂ）に示すように、レンズホルダ３には、トラッキング方向Ｔｒで相対向する左右の側面部３８、３９の前端部分および後端部分に、前面部３６および後面部３７と同一平面を形成するようにトラッキング方向Ｔｒに延びる張り出し部分３４１、３４２を有している。レンズホルダ３においてトラッキング方向Ｔｒと直交する方向で相対向する前面部３６は、開口３１の内側に固着された金属板あるいはセラミックス板からなるカウンターウェイト５０を備えており、カウンターウェイト５０は、レンズホルダ３を補強するとともに、レンズホルダ３の重量バランスを調整している。ここで、カウンターウェイト５０は、下端部が切り欠かれたアーチ形状を有しており、立ち上げミラー２５への光路を確保している。
【００２７】
レンズホルダ３において、左右の側面部３８、３９の前後方向（トラッキング方向と直交する方向）における中央位置には、基板面をレンズホルダ３の前後方向に向けて一対の中継基板９が各々保持されている。中継基板９は、レンズホルダ３からトラッキング方向Ｔｒの外側に張り出しており、中継基板９の外側縁部は、張り出し部分３４１、３４２の外側縁部よりさらに外側に位置している。このように中継基板９をレンズホルダ３の左右の側面部３８、３９に保持させるにあたっては、例えば、レンズホルダ３の左右の側面部３８、３９にフォーカシング方向Ｆｏに延びる差し込み溝３５を形成しておき、これらの差し込み溝３５内で中継基板９の内側端部を接着固定すればよい。
【００２８】
このような構成のレンズホルダ３に対して磁気駆動機構８を構成するにあたって、本形態では、まず、前面部３６において開口３１を挟む両側部分、および後面部３７の両側部分の計４箇所にはフォーカシング駆動コイル１１が各々配置されている。また、後面部３７の両側部分の計２箇所にはフォーカシング駆動コイル１１に重ねてチルト駆動コイル１３が配置されている。さらに、レンズホルダ３の左右の側面部３８、３９から張り出した中継基板９にはトラッキング駆動コイル１２が配置されている。
【００２９】
これら３種類の駆動コイル１１、１２、１３のうち、まず、チルト駆動コイル１３は、コイル線を巻回してなる巻線コイルであり、後面部３７の両側部分の外面側に対して一部が張り出し部分３４２と重なるように接着固定されている。
【００３０】
フォーカシング駆動コイル１１は、チルト駆動コイル１３と同様、コイル線を巻回してなる巻線コイルである。４つのフォーカシング駆動コイル１１のうち、前面部３６側の２つのフォーカシング駆動コイル１１は、開口３１を挟む両側部分の外面側に対して一部が張り出し部分３４１と重なるように接着固定されている一方、残り２つのフォーカシング駆動コイル１１は、チルト駆動コイル１３の上に重なるように接着固定されている。
【００３１】
ここで、後面部３７側のフォーカシング駆動コイル１１は、その中心がチルト駆動コイル１３の中心に対してチルト駆動コイル１３の縦辺部の幅寸法以上、トラッキング方向Ｔｒの外側にずれた状態に接着固定されている。このため、フォーカシング駆動コイル１１において、チルト駆動コイル１３に重なる端面から引き出された巻き始め側の引き出し線については、フォーカシング駆動コイル１１とチルト駆動コイル１３とがずれていることによってフォーカシング駆動コイル１１とレンズホルダ３の後面部３７との間に形成された隙間を通して中継基板９まで導くことができる。それ故、フォーカシング駆動コイル１１に引き出し線が下方を通ることに起因する浮きや傾きなどが発生しない。
【００３２】
本形態において、トラッキング駆動コイル１２は、図４に示す中継基板９に、銅箔や金属膜などの薄膜パターンにより形成した薄型平面コイルであり、フォーカシング方向Ｆｏに延びた縦辺部分１２ａ、１２ｂと、トラッキング方向Ｔｒに延びた横辺部分１２ｃ、１２ｄとを備えた矩形形状を有している。このような中継基板９は、所定厚さの略矩形板状の剛性基板にシートコイル技術などを用いて薄型平面コイルが形成されたものである。
【００３３】
また、中継基板９では、トラッキング方向Ｔｒの外側縁部に３つの半円状の切り欠き９１が等間隔に上下に形成されており、これら切り欠き９１に沿うように、ワイヤ４の先端部がハンダにより接続されたワイヤ接続用ランド９２が形成されている。また、中継基板９のフォーカシング方向の下側縁部には、櫛歯状の切り欠き９３が形成され、これら切り欠き９３の間の凸部分によって、各駆動コイル１１、１２、１３からの引き出し線１１０、１２１、１２２、１３０を接続するためのコイル接続用ランド９５を備えた突起状端子９４が形成されている。
【００３４】
ここで、駆動コイル１１、１２、１３のうち、フォーカシング駆動コイル１１およびチルト駆動コイル１３は、レンズホルダ３上に搭載されているので、フォーカシング駆動コイル１１およびチルト駆動コイル１３からの引き出し線１１０、１３０は、レンズホルダ３から中継基板９まで導かれて突起状端子９４のコイル接続用ランド９５に接続される。これに対して、トラッキング駆動コイル１２は、中継基板９上に薄型平面コイルとして形成されているので、トラッキング駆動コイル１２からの２本の引き出し線１２１、１２２は各々、導電パターンあるいは線材などとして中継基板９上でコイル接続用ランド９５とワイヤ接続用ランド９２とに接続される。なお、引き出し線１１０、１２１，１２２、１３０をコイル接続用ランド９５に接続する際には、引き出し線１１０、１２１，１２２、１３０を突起状端子９４に絡げて半田付けを行えばよい。
【００３５】
また、フォーカシング駆動コイル１１およびチルト駆動コイル１３に対応するコイル接続用ランド９５とワイヤ接続用ランド９２とは、中継基板９上で導電パターンあるいは線材などからなる配線９６によって接続されている。一方、トラッキング駆動コイル１２に対応するコイル接続用ランド９５は、一対の中継基板９の間で配線接続される。なお、本形態において、左右の中継基板９は対称のものが用いられているので、他方の中継基板９の説明を省略する。
【００３６】
図２および図５に示すように、本形態の対物レンズ駆動装置３００において、磁気駆動機構８は、レンズホルダ３の下方位置にヨーク６を備えている。このヨーク６には、レンズホルダ３の側に配置された各駆動コイル１１、１２、１３に対向するように、複数の駆動マグネット２１、２２が保持されている。ヨーク６は、薄板状の磁性板をプレス加工することにより形成され、トラッキング方向Ｔｒに直交する方向で２分割された第１のヨーク６１と第２のヨーク６２とからなる。
【００３７】
前方に位置する第１のヨーク６１は、レンズホルダ３の下面と対向する底板部６１１、底板部６１１の前端部で起立する前側バックヨーク６１２（第１の駆動マグネット保持部）、および底板部６１１の後端部の左右両側で起立する一対の後側バックヨーク６１３（第２の駆動マグネット保持部）を備えている。
【００３８】
また、後方に位置する第２のヨーク６２は、レンズホルダ３の下面と対向する底板部６２１、底板部６２１の後端部で起立する後側バックヨーク６２２（第１の駆動マグネット保持部）、および底板部６２１の前端部の左右両側で起立する一対の前側バックヨーク６２３（第２の駆動マグネット保持部）を備えている。
【００３９】
第１のヨーク６１の底板部６１１には、前端部から後端部にかけて切り欠き部分６１０が形成されている一方、第２のヨーク６２の底板部にも、前端部から後方に向かって矩形の切り欠き（図示せず）が形成されており、これら切り欠き内に立ち上げミラー２５が接着固定されている。また、第１のヨーク６１の前側バックヨーク６１２には、レンズホルダ３の前面部３６に形成された開口３１と重なる位置に立ち上げミラーへの光路を確保するための窓６１５が切り欠き部分６１０と一体に形成されており、前側バックヨーク６１２は、窓６１５の両側で垂直方向に延びる一対の垂直板部６１２ａと、一対の垂直板部６１２ａの上端同士を連結する水平板部６１２ｂとを有している。
【００４０】
このように構成したヨーク６の上部に対して、図３を参照して説明したレンズホルダ３を配置することにより、図２に示す対物レンズ駆動装置３００が構成される。この状態で、第１のヨーク６１の前側バックヨーク６１２はレンズホルダ３の前面部３６に対向し、前面部３６の開口３１と前側バックヨーク６１２の窓６１５とが向き合う。また、第２のヨーク６２の後側バックヨーク６２２はレンズホルダ３の後面部３７に対向する。さらに、第１のヨーク６１の左右の後側バックヨーク６１３は各々、レンズホルダ３の両側に保持された一対の中継基板９の前面に対向し、第２のヨーク６２の左右の前側バックヨーク６２３は各々、レンズホルダ３の両側に保持された一対の中継基板９の後面に対向する。
【００４１】
従って、本形態では、第１のヨーク６１の前側バックヨーク６１２の２つの垂直板部６１２ａの内面に、フォーカシング方向Ｆｏに２分極着磁された第１の駆動マグネット２１を各々接着固定するとともに、第２のヨーク６２の後側バックヨーク６２２の内面の両側部分にも、フォーカシング方向Ｆｏに２分極着磁された第１の駆動マグネット２１を各々接着固定する。この状態で、レンズホルダ３の前方に配置された２つの第１の駆動マグネット２１は、フォーカシング駆動コイル１１に対向してこれらのフォーカシング駆動コイル１１の上下の横辺部分に鎖交する磁界を発生させる。また、レンズホルダ３の後方に配置された２つの第１の駆動マグネット２１は、フォーカシング駆動コイル１１およびチルト駆動コイル１３に対向し、フォーカシング駆動コイル１１およびチルト駆動コイル１３の双方の上下の横辺部分に鎖交する磁界を発生させる。
【００４２】
さらに、第１のヨーク６１の左右の後側バックヨーク６１３の外面に、第２の駆動マグネット２２を各々接着固定するとともに、第２のヨーク６２の左右の前側バックヨーク６２３の外面にも、第２の駆動マグネット２２を各々接着固定する。その際、第１のヨーク６１側の第２の駆動マグネット２２と、第２のヨーク６２側の第２の駆動マグネット２２は、互いに異なる極を中継基板９の方に向けるように固定する。この状態で、第２の駆動マグネット２２は、図４に示すように、トラッキング駆動コイル１２の外側の縦辺部分１２ａに対向し、鎖交する磁界を発生させる。
【００４３】
このように構成した対物レンズ駆動装置３００および光ヘッド装置１００において、ワイヤ４を介してフォーカシング駆動コイル１１に給電すると、レンズホルダ３には、フォーカシング方向Ｆｏの推力が加わるので、レンズホルダ３を対物レンズ２とともにフォーカシング方向Ｆｏに駆動することができる。また、ワイヤ４を介してチルト駆動コイル１３に給電すると、レンズホルダ３には、そのトラッキング方向Ｔｒにおける中心位置を通る軸線周りの偶力が加わるので、レンズホルダ３を対物レンズ２とともにチルト方向Ｔｉに駆動することができる。さらに、ワイヤ４を介してトラッキング駆動コイル１２に給電すると、レンズホルダ３には、そのトラッキング方向Ｔｒの推力が加わるので、レンズホルダ３を対物レンズ２とともにトラッキング方向Ｔｒに駆動することができる。
【００４４】
（本形態の効果）
以上説明したように、本形態では、各駆動コイル１１、１２、１３とワイヤ４とを各々接続させるための中継基板９をレンズホルダ３の側面部から外側に張り出させ、かつ、中継基板９上に形成された薄型平面コイルをトラッキング駆動コイル１２として用いる。このため、レンズホルダ３上にはトラキング駆動コイル１２を配置する必要がない。従って、レンズホルダ３を小型、軽量化した場合でもレンズホルダ３上での他の駆動コイル（フォーカシング駆動コイル１１およびチルト駆動コイル１３）についてはレイアウトの自由度が高いので、レンズホルダ３上の最適位置にフォーカシング駆動コイル１１およびチルト駆動コイル１３を配置することができる。また、トラッキング駆動コイル１２を巻き線コイルで構成した場合と違って、部品点数を減らすことができるとともに、ワイヤ４とトラッキング駆動コイル１２との電気的な接続を中継基板９上で行えるので、組み立て工程を効率よく行うことができる。
【００４５】
また、本形態のように、立ち上げミラー２５に向かう光路を確保するための開口３１が形成されているレンズホルダ３を用いた場合、従来は、レンズホルダ側に配置される駆動コイルは、その配置位置などに制約を受けていたが、本形態では、トラッキング駆動コイル１２を中継基板９の方に薄型平面コイルとして形成したため、レンズホルダ３では、フォーカシング駆動コイル１１およびチルト駆動コイル１３を最適な位置に配置でき、駆動感度およびレンズホルダ３の質量バランスの最適化を図ることができる。
【００４６】
さらに、レンズホルダ３の前面部３６において開口３１を挟む両側部分、および後面部の両側部分の計４箇所の各々にフォーカシング駆動コイル１１を配置したので、フォーカシング駆動コイル１１全体に対向するように第１の駆動マグネット２１を配置することができる。このため、フォーカシング駆動コイル１１においては、推力の発生に寄与する有効辺部分が占める部分が大きく、フォーカシング駆動時の感度が高い。
【００４７】
さらにまた、レンズホルダ３の後面部３７では、フォーカシング駆動コイル１１とチルト駆動コイル１３とを重ねて配置したため、レンズホルダ３の後方に配置した第１の駆動マグネット２１をフォーカシング駆動とチルト駆動とにおいて共用することができる。しかも、チルト駆動コイル１３の全体に対向するように第１の駆動マグネット２１を配置することができるため、チルト駆動コイル１３においては、推力の発生に寄与する推力の発生に寄与する有効辺部分が占める部分が大きく、チルト駆動時の感度が高い。
【００４８】
さらに、ヨーク６が２分割にされているので、トラッキング駆動コイル１２と第２の駆動マグネット２２との間隔（磁気ギャップ）の微調整を容易に行うことができる。さらに、第１のヨーク６１と第２のヨーク６２とで、別々に各駆動マグネット２１、２２の取り付けを行うことができるので、取り付け作業の際、磁気吸着あるいは磁気反発により駆動マグネット２１、２２の取り付け位置がずれてしまうことを防止できる。それ故、高い精度で駆動マグネット２１、２２を配置できる。
【００４９】
さらに、本形態の対物レンズ駆動レンズ２００および光ヘッド装置１００は、レンズホルダ３の中央位置に対物レンズ２が配置されたレンズセンタータイプであり、トラッキング駆動コイル１２が形成された中継基板９は、レンズホルダ３の左右の側面部３８、３９においてトラッキング方向と直交する方向における中心位置に配置したので、ヨーイングに関係するトラッキング推力中心と、レンズホルダ３の重心の合わせ込みが容易である。
【００５０】
さらにまた、中継基板９において、各駆動コイル１１、１２、１３が接続されるコイル接続用ランド９５は、櫛歯状に形成した切り欠き９３の間の凸部分によって突起状端子９４として形成されているので、組み立て作業の際、各駆動コイル１１、１２、１３からの引き出し線１１０、１２１、１２２、１３０を突起状端子９４に絡げた状態でコイル接続用ランド９５とをハンダ付けすれば、ハンダ付け作業を簡単かつ確実に行うことができる。また、各コイル接続用ランド９５の間には切り欠き９３があるので、ハンダ付け作業の際、外に流れたハンダがコイル接続用ランド９５同士を接続してしまうといった弊害が発生しない。
【００５１】
（その他の実施の形態）
図６に示すように、レンズホルダ３の後面部３７の一部あるいはその全体を、両側部分にチルト駆動コイル１３が薄膜パターンにより薄型平面コイルとして形成された剛性基板１５によって構成してもよい。この場合も、剛性基板１５の外面側にはチルト駆動コイル１３の上にフォーカシング駆動コイル１１を接着固定する。その他の構成は、上記実施の形態と同様であるため、説明を省略するが、図６に示す構成を採用すると、レンズホルダ３の後面部３７自身にチルト駆動コイル１３が組み込まれるので、チルト駆動コイル１３にフォーカシング駆動コイル１１を重ねて配置してもレンズホルダ３が大型化しない。
【００５２】
また、カウンターウェイト５０についてはレンズホルダ３と同一の材料で形成し、カウンターウェイト５０の厚さを変えることによって、レンズホルダ３の重量バランスを調整してもよい。さらに、チルト駆動コイル１３については前面部３６、あるいは前面部３６および後面部３７の双方に配置してもよい。
【図面の簡単な説明】
【００５３】
【図１】本発明を適用した光ヘッド装置を示す斜視図である。
【図２】図１に示す光ヘッド装置に用いた対物レンズ駆動装置の構成を示す斜視図である。
【図３】（ａ）および（ｂ）は、図２に示す対物レンズ駆動装置に用いたレンズホルダを後方斜め上方からみたときの斜視図、それを斜め下方からみたときの斜視図である。
【図４】図２に示す対物レンズ駆動装置に用いた中継基板の平面図である。
【図５】図２に示す対物レンズ駆動装置に用いたヨークを前方斜め上方からみたときの斜視図である。
【図６】本発明のその他の実施の形態に係る光ヘッド装置に用いたレンズホルダを後方斜め上方からみたときの説明図である。
【図７】（ａ）および（ｂ）は、従来の光ヘッド装置に用いたレンズホルダを前方斜め上方からみたときの斜視図、および従来の光ヘッド装置に使用される駆動マグネットの一例を示す斜視図である。
【符号の説明】
【００５４】
２  対物レンズ
３  レンズホルダ
４  ワイヤ
５  ホルダ支持部材
６  ヨーク
８  磁気駆動機構
９  中継基板
１１  フォーカシング駆動コイル
１２  トラッキング駆動コイル
１３  チルト駆動コイル
２１  第１の駆動マグネット
２２  第２の駆動マグネット
２５  立ち上げミラー
３１  開口
３６  レンズホルダの前面部
３７  レンズホルダの後面部
３８、３９  レンズホルダの側面部
６１  第１のヨーク
６２  第２のヨーク
９２  ワイヤ接続用ランド
９４  突起状端子
９５  コイル接続用ランド
１００  光ヘッド装置
２００  光学モジュール
３００  対物レンズ駆動装置
４００  装置フレーム
【図１】
2007109318.tif 000003
【図２】
2007109318.tif 000004
【図３】
2007109318.tif 000005
【図４】
2007109318.tif 000006
【図５】
2007109318.tif 000007
【図６】
2007109318.tif 000008
【図７】
2007109318.tif 000009